(57)【要約】【課題】  封かん作業時に特別な注意や装置が不要で、器具や強い力を用いずとも安定的に開封することができ、輸送中に上から意図しない力が加わっても簡単に開封しにくく、さらに、箱から内容物を取り出しやすくなり、箱を開封するだけで内容物の陳列、展示が可能となる、破断と折れ線によって箱の開封を容易化する方法及び容易に開封できる箱を提供する。【解決手段】一対の外フラップの一方の外フラップに、一対の外フラップの一方の外フラップ及びこの外フラップと連続する側面板に、又は一対の外フラップの一方の外フラップと連続する側面板に、外フラップ中の粘着テープが貼り付けられた部分を含む部分とそれ以外の部分とを切り離す破断用部分（仕組み）を設け、他方の外フラップ中に外フラップどうしの合わせ目に略平行な折れ線を設けた、箱の開封を容易化する方法及び容易に開封できる箱である。【選択図】図１
2016188079.tif 000002
【特許請求の範囲】
【請求項１】
一対の側面板と、一対の端面板と、前記各側面板の開封側の縁部にそれぞれ連続する一対の外フラップとを含む箱であって、封かん時に開封側の各外フラップの互いに対向する側の縁部が形成する合わせ目及びその近傍部分と前記各端面板中の前記合わせ目の近傍部分とに、粘着テープの短手方向に切断し易い粘着テープを貼り付けることにより、封かんされた箱の開封を容易化する方法であって、（ａ）前記一対の外フラップの一方の外フラップに、（ｂ）前記一対の外フラップの一方の外フラップ及びこの外フラップと連続する側面板に、又は（ｃ）前記一対の外フラップの一方の外フラップと連続する側面板に、前記外フラップ中の前記粘着テープが貼り付けられた部分を含む部分とそれ以外の部分とを互いに切り離すための破断用部分を形成し、かつ、前記一対の外フラップの他方の外フラップに前記合わせ目に略平行な折れ線（折れ目）を形成しておく第１ステップと、前記破断用部分により、前記外フラップ中の前記粘着テープが貼られた部分を含む部分とそれ以外の部分とを、互いに切り離す第２ステップと、前記一方の外フラップ中の前記粘着テープが貼られた部分を含む部分を、前記合わせ目を回転軸として、前記切り離された縁部側から持ち上げて回動させ、前記外フラップと端面板間の隙間に対向する前記粘着テープの部分を切断する第３ステップと、前記持ち上げた部分と前記合わせ目を介して対向している他方の外フラップを、他方の外フラップに形成された折れ線（折れ目）を回転軸として、前記合わせ目側から持ち上げて回動させ、前記他方の外フラップと端面板間の隙間に対向する前記粘着テープの部分を切断する第４ステップと、を含む、箱の開封を容易化する方法。
【請求項２】
一対の側面板と、前記各側面板にそれぞれ連結している一対の端面板と、前記各側面板の開封側の縁部にそれぞれ連続する一対の外フラップとを含み、封かん時に開封側の一対の外フラップ中の互いに対向する側の縁部が形成する合わせ目及びその近傍部分と前記各端面板中の前記合わせ目の近傍部分とに、粘着テープの短手方向に切断し易い粘着テープが貼り付けられることにより、封かんされる箱であって、
（ａ）前記一対の外フラップの一方の外フラップに、（ｂ）前記一対の外フラップの一方の外フラップ及びこの外フラップと連続する側面板に、又は（ｃ）前記一対の外フラップの一方の外フラップと連続する側面板に、前記外フラップ中の前記粘着テープが貼り付けられた部分を含む部分とそれ以外の部分とを互いに切り離すための破断用部分が形成され、さらに開封面の他方の外フラップ中において、前記他方の外フラップの一部を回動させるための回転軸となる前記合わせ目に略平行な折れ線（折り目）が、前記合わせ目と側面板の間に形成されている、容易に開封できる箱。
【発明の詳細な説明】
【技術分野】
【０００１】
本発明は、粘着テープを用いて封かんされる開封面に一対の外フラップを持つ箱において、箱の開封を容易化する方法及び容易に開封できる箱に関する。
【背景技術】
【０００２】
開封面に一対の外フラップを持つ箱は、封かん時に、一対の側面板の上側の縁に連続して設けられた外フラップ（一対の端面板の上側の縁に連続して設けられ内フラップの上側に配置されるもの）の互いに対向する側の縁部が合わせ目を形成する。前記箱の封かんに粘着テープを用いる場合は、合わせ目及びその周辺と端面板に粘着テープが貼付されることにより、封かんされる。
このように封かんされた箱を開封するときは、一般的には、粘着テープをカッターなどで切断し開封するか、粘着テープをはがして開封する。このような開封方法に対して、粘着テープで封かんされた箱を容易に開封するための工夫として、従来から、次のような３つの方法が提案されている。
【０００３】
第１の方法は、箱から粘着テープをはぎ取りやすくして、開封する方法である。特許文献１は、この第１の方法の一例を示すもので、粘着テープをはぎ取りやすくするために、箱に切れ目を入れている。
第２の方法は、切れ込みやミシン目を持つ粘着テープを用いて箱の封かんを行うようにし、開封時には前記切れ込みやミシン目から粘着テープを容易に切断できるようにして箱を開封しやすくする方法である。これには、特許文献２のように予め粘着テープに万遍なく切れ込みや孔をあけておくもの、特許文献３のように予め粘着テープ中央にミシン目を入れておくもの、などがある。
第３の方法は、箱を粘着テープで封かんした後に、特許文献４のように外フラップが形成する合わせ目に沿ってミシン目を入れ、開封時に、前記ミシン目を利用して開封するものである。
【先行技術文献】
【特許文献】
【０００４】
【特許文献１】特開２００４−１７５４５１号公報
【特許文献２】実開昭５４−１３３１６５号公報
【特許文献３】実開平６−５１２５６号公報
【特許文献４】特開平７−２５１８１２号公報
【発明の概要】
【発明が解決しようとする課題】
【０００５】
従来から一般的に行われている、カッターなどを用いて粘着テープを切断して開封する方法では、常にカッターが必要であることに加え、カッターを使用するときに内容物を傷つけたり、怪我をしたりする恐れがあった。また、従来から一般的に行われている、粘着テープをはがして開封する方法では、箱に強く接着している粘着テープをはがすことは簡単ではなく、手間と時間がかかるほか、はがす際に爪を痛める恐れがあり、また、きれいに剥げないなどの問題があった。
特許文献１の方法は、上記の剥がしにくい問題を解決するために、粘着テープに近い箱の端面板や蓋面中央に切れ目を入れ、この切れ目を破り粘着テープを持ちやすくして、はがしやすくする方法である。しかしながら、この方法によるときは、箱に付けた切れ目の位置が決まっているので粘着テープを正確に貼りつける必要があり作業に注意が必要となるほか、開封方法が直感的に分かり難く、端面板の切れ目を破るために横から押し込む力が必要であり、粘着テープを安定的に剥がし難いなどの問題があった。
【０００６】
特許文献２の方法では、粘着テープに万遍なく切れ込みや孔もしくはミシン目が存在するため、封かん作業中に意図しない力が加わると粘着テープが切れてしまうなどの問題があった。特許文献３の方法では、粘着テープのミシン目を合わせ目に位置させて貼ることが難しく、封かん作業中に粘着テープが切れてしまう可能性があるなどの問題があった。
特許文献４では、封かん後に合わせ目に対向する粘着テープにミシン目をいれるので、封かん中に粘着テープが切れてしまう問題や粘着テープのミシン目と箱の合わせ目が一致しなくなる問題はないが、特に外フラップ間の合わせ目部分の全てにミシン目を形成する場合は、輸送中に上から力が加わるとミシン目の入った粘着テープが切断されてしまう恐れがあった。
さらにこれまでの技術では、箱の開封は天面だけの１面の開封しかできなかったため、箱内に内容物が隙間なく収容されている場合は、内容物が取り出し難いという問題があった。また、従来は、天面だけの１面の開封しかできなかったため、箱から商品を取り出さない限り（箱内に内容物である商品を収容したままでは）、内容物である商品の陳列、展示ができないという問題があった。
【０００７】
本発明は、このような従来技術の問題点に着目してなされたものであって、封かん作業時に特別な注意や装置が不要で、開封方法が単純で分かりやすく、器具や強い力を用いずとも安定的に開封することができ、輸送中などに上から意図しない力が加わっても簡単に開封しにくい、箱の開封を容易化する方法及び容易に開封できる箱を提供することを目的とする。また本発明は、箱から内容物を取り出しやすくなり、箱を開封するだけで内容物の陳列、展示が可能となるような、箱の開封を容易化する方法及び容易に開封できる箱を提供することを目的とする。
【課題を解決するための手段】
【０００８】
本発明による箱の開封を容易化する方法は、一対の側面板と、一対の端面板と、前記各側面板の開封側の縁部にそれぞれ連続する一対の外フラップとを含む箱であって、封かん時に開封側の各外フラップの互いに対向する側の縁部が形成する合わせ目及びその近傍部分と前記各端面板中の前記合わせ目の近傍部分とに、粘着テープの短手方向に切断し易い粘着テープを貼り付けることにより、封かんされた箱の開封を容易化する方法であって、（ａ）前記一対の外フラップの一方の外フラップに、（ｂ）前記一対の外フラップの一方の外フラップ及びこの外フラップと連続する側面板に、又は（ｃ）前記一対の外フラップの一方の外フラップと連続する側面板に、前記外フラップ中の前記粘着テープが貼り付けられた部分を含む部分とそれ以外の部分とを互いに切り離すための破断用部分を形成し、かつ、前記一対の外フラップの他方の外フラップに前記合わせ目に略平行な折れ線（折れ目）を形成しておく第１ステップと、前記破断用部分により、前記外フラップ中の前記粘着テープが貼られた部分を含む部分とそれ以外の部分とを、互いに切り離す第２ステップと、前記一方の外フラップ中の前記粘着テープが貼られた部分を含む部分を、前記合わせ目を回転軸として、前記切り離された縁部側から持ち上げて回動させ、前記外フラップと端面板間の隙間に対向する前記粘着テープの部分を切断する第３ステップと、前記持ち上げた部分と前記合わせ目を介して対向している他方の外フラップを、他方の外フラップに形成された折れ線（折れ目）を回転軸として、前記合わせ目側から持ち上げて回動させ、前記他方の外フラップと端面板間の隙間に対向する前記粘着テープの部分を切断する第４ステップと、を含むものである。
【０００９】
本発明の封かん時に外フラップの互いに対向する側の縁部が形成する合わせ目とは、一対の外フラップの各縁部を突き合わせて封かんする箱のように、一対の外フラップの縁部のみで形成される合わせ目だけでなく、外フラップどうしを重ねて封かんする箱のように、一方の外フラップの縁部とその縁部に対向する他方の外フラップの部分とから成る合わせ目も含む。
【００１０】
本発明において、短手方向に切断し易い粘着テープとは、紙を基材とするクラフト粘着テープ、厚さが薄い粘着テープ、粘着テープの短手方向に裂けやすい特殊なフィルムを基材とした粘着テープ、粘着テープの短手方向の縁の周辺部に小さな傷や切れ込みを付けた粘着テープなどである。これらは、刃物を用いずとも、指で引き裂くような力を加えるだけで粘着テープを短手方向に切断できる粘着テープである。なお、このような粘着テープを箱の封かんに用いた場合は、粘着テープは箱に貼り付けられており粘着テープが切断に至るほどの引き裂くような力が加わり難くなっているため、輸送中などに加わる意図しない力だけで簡単に粘着テープが切断してしまうことはない。
【００１１】
本発明において、破断用部分（破断用の仕組み）とは、箱の素材である段ボールや紙などを破断することができる破断用の仕組みを持つ部分であって、例えば、箱の開封に用いられる帯状のジッパーや線状のジッパー、一定の間隔で切れ目やスリットが並んだミシン目、ライナーカット、ハーフカットやカットテープなどが単独や組み合わせて用いられている部分である。
本発明の（ａ）は、破断用部分（破断用の仕組み）が、開封面側の外フラップに形成され、破断によって外フラップ中の前記粘着テープが貼られた部分を含む部分を、他の部分から切り離すことができるように形成されたものである。
この破断用部分（破断用の仕組み）を用いて切り離した部分から指を入れて、外フラップの前記部分を持ち上げることが可能になる。なお、前記外フラップの部分を箱から切り離しても、前記外フラップ中の粘着テープが貼られた部分は、前記粘着テープにより、対向する他の外フラップと結びついている。
【００１２】
本発明の箱の開封を容易化する方法においては、まず、短手方向に切断しやすい粘着テープを用いて封かんした箱に対して、破断用部分の破断用の仕組みを利用して、外フラップ中の前記粘着テープが貼られた部分を含む部分を箱の他の部分から切り離す。次いで、外フラップの合わせ目を回転軸として、前記外フラップ中の粘着テープが貼られた部分を含む部分を切り離した側から持ち上げて回動させると、その過程で、前記合わせ目を支点とするテコの原理に加え、前記外フラップと端面板間の隙間に対向する前記粘着テープ中の持ち上げる側の部分に対して引き裂くような力が集中的に加えられ、その結果、前記外フラップと端面板間の隙間に対向する粘着テープ（前記外フラップと端面板とを固定している粘着テープの部分）が切断する。その後、開封面側の最初に持ち上げた外フラップ以外のもう一方の外フラップを、前記もう一方の外フラップに形成された折れ線（折り目）を回転軸として、外フラップの合わせ目部分から持ち上げ回動させると、持ち上げる外フラップと端面板間の隙間に対向する前記粘着テープ中の持ち上げる側の部分に力が集中的に加わるので、粘着テープを容易に切断することができる。
【００１３】
上記のように粘着テープを容易に切断するためには、持ち上げた外フラップが回動するように、回転軸を作ることが重要である。回転軸がない場合は、外フラップを持ち上げても、前記外フラップと端面板間の隙間に対向する粘着テープ全体に力が加わるので、粘着テープの切断には、強い力が必要になる。
破断用部分で分離された外フラップは、合わせ目が回転軸として利用できる。しかし、最後に残った外フラップでは、外フラップの合わせ目に垂直方向の長さが長い場合は、最後に残った外フラップの側面板側の縁部を回転軸として安定的に利用しにくくなる。よって、合わせ目から遠くない部分に回転軸となる折れ線（折り目）を形成することにより、粘着テープを容易にかつ安定的に切断することができる。
折れ線（折り目）の形成位置は、一般的な段ボールの厚さでは、合わせ目から１５ｃｍ以内が望ましいが、箱を構成する板の厚さや材質によって変わる。
【００１４】
このように本発明の箱の開封を容易化する方法では、外フラップ同士を固定している粘着テープ中の合わせ目の部分は切断しないまま、前記破断用部分（破断用の仕組み）を利用し、さらに前記合わせ目を回転軸として外フラップの一部を持ち上げ回動させることで、テコの原理に加え粘着テープの一部分に引き裂くような力を集中的に加えることにより、前記外フラップと端面板間の隙間に対向する粘着テープを容易に切断し、最後に残ったもう一方の外フラップに形成された折れ線（折り目）を回転軸として、最後に残った外フラップを合わせ目部分から持ち上げ回動させ、粘着テープの一部分に引き裂くような力を集中的に加えて、最後に残った外フラップと端面板間の隙間に対向した粘着テープを切断し、開封することを特徴としている。
また、破断用部分（破断用の仕組み）を外フラップ中の側面板近くの部分に形成することによって、上から意図しない力が加わっても、側面板に力が分散し外フラップが破断されにくくすることもできる。
よって、本発明の開封が容易な箱は、封かん作業時に特別な注意や装置が不要で、開封時は、外フラップを破断し持ち上げるだけなので、開封方法が単純で分かりやすく、器具や強い力が不要で、安定的にかつ容易に開封することができ、輸送中などに上から意図しない力が加わっても簡単に開封しにくい開封方法である。
【００１５】
また、本発明の箱の開封を容易化する方法の（ｂ）と（ｃ）は、前記破断用部分（破断用の仕組み）を、前記外フラップ及び側面板中の前記粘着テープが貼られた部分を含む部分とそれ以外の部分とを互いに切り離し可能なように形成するもので、（ｂ）は前記一対の外フラップの一方の外フラップ及び前記外フラップと連続する側面板に破断用部分を形成する。また（ｃ）は前記一対の外フラップの一方の外フラップと連続する側面板に破断用部分を形成する。
【００１６】
前記破断用部分（破断用の仕組み）を上記のように形成することにより、本発明によれば、外フラップと側面板の一部又は全部を一緒に除去することができるので、箱の内容物を側面板側の開口部からも取り出すことが可能になり、箱の内容物の取り出しがより容易になる（従来技術では、粘着テープを切断又は除去することにより外フラップ同士の合わせ目部分の固定を解除するという開封方法であったために、天面側（外フラップ側）のみしか開封できなかった）。
よって、本発明を用いると一般的で安価なＡ式の箱でも、前記開封動作により側面板の一部又は全部が外フラップと一緒に除去されるので、側面板にも開口部が形成されるようになる。よって、本発明によれば、内容物を箱内に収容したままでも、前記側面板の開口部から内容物を露出させることができるので、前記箱を、内容物（商品）の陳列、展示ができる箱として利用することも可能になる。
さらに、本発明において、前記破断用部分（破断用の仕組み）を側面板のみに形成するようにしたときは、前記破断用部分（破断用の仕組み）を外フラップに形成した場合と比較して、外フラップに上から意図しない力が加わっても外フラップを破断され難くすることができる。
【００１７】
本発明の容易に開封できる箱は、一対の側面板と、前記各側面板にそれぞれ連結している一対の端面板と、前記各側面板の開封側の縁部にそれぞれ連続する一対の外フラップとを含み、封かん時に開封側の一対の外フラップ中の互いに対向する側の縁部が形成する合わせ目及びその近傍部分と前記各端面板中の前記合わせ目の近傍部分とに、粘着テープの短手方向に切断し易い粘着テープが貼り付けられることにより、封かんされる箱であって、
（ａ）前記一対の外フラップの一方の外フラップに、（ｂ）前記一対の外フラップの一方の外フラップ及びこの外フラップと連続する側面板に、又は（ｃ）前記一対の外フラップの一方の外フラップと連続する側面板に、前記外フラップ中の前記粘着テープが貼り付けられた部分を含む部分とそれ以外の部分とを互いに切り離すための破断用部分が形成され、さらに開封面の他方の外フラップ中において、前記他方の外フラップの一部を回動させるための回転軸となる前記合わせ目に略平行な折れ線（折り目）が、前記合わせ目と側面板の間に形成されているものである。
【００１８】
この容易に開封できる箱の発明の作用及び効果は、前記箱の開封を容易化する方法の発明と同様である。
【発明の効果】
【００１９】
Ｂ式と呼ばれる段ボール箱に代表される開封面に外フラップが１枚しかない箱においては、ジッパーを外フラップに形成すると開封が簡単かつ容易になる。
しかし、Ａ式と呼ばれる段ボール箱に代表される一対の外フラップを持つ箱は、外フラップと端面板が粘着テープで固定されるため、外フラップにジッパーなどを形成し破断しても外フラップ面を開封できないので、本発明のような箱や開封方法が利用されてこなかった。このため、従来技術で述べたような様々な開封方法が提案されてきたが、いずれも一長一短であった。
本発明により、一対の外フラップと端面板が粘着テープで固定される箱でありながら、外フラップに形成されたジッパーなどの破断用部分（破断用の仕組み）と折れ線（折り目）及び、短手方向に切れ易い粘着テープを利用することにより、外フラップと端面板間の隙間に対向する粘着テープ中の持ち上げる側の部分に、テコの原理に加え引き裂くような力を集中的に加えることができるため、非常に簡単に粘着テープを破断し開封することが可能になった。
【００２０】
このように本発明を用いると安価なＡ式の箱においても、ジッパーなどの破断用部分（破断用の仕組み）と折れ線（折れ目）の形成によって極めて簡単な開封が可能になるので、コストダウンと開封時の作業性の向上が可能である。
さらに、従来技術では、粘着テープを切断又は除去することにより外フラップ同士の固定を解除するという開封方法であったために、天面側のみしか開封できなかった。これに対して、本発明の開封方法においては、前記一方の外フラップ及び／又はこれと連続する側面板に、前記外フラップ及び／又は側面板中の前記粘着テープが貼られた部分を含む部分とそれ以外の部分とを互いに切り離し可能な破断用部分（破断用の仕組み）を形成しておくことにより、外フラップと側面板を一緒に除去することができるようになり、その結果、箱の内容物を外フラップのある天面側と側面板側の開口部から取り出すことが可能になるので、箱から内容物を取り出すことがより容易になる。また、Ａ式の箱でも前記の外フラップと側面板の一部とを一緒に除去するという開封動作を行うだけで、前記外フラップ側の側面板の一部を開口部とすることができるので、内容物を箱内に収容したままでも、前記側面板の開口部から内容物を露出させることができ、前記箱を、内容物（商品）の陳列、展示ができる箱として利用することが可能になる。
【図面の簡単な説明】
【００２１】
【図１】本発明の実施例１における粘着テープで封かんした段ボール箱を示す斜視図である。
【図２】図１の箱の展開図である。
【図３】実施例１における箱の開封方法を説明するための斜視図である。
【図４】実施例１の変形例１と変形例２を説明するための斜視図である。
【図５】実施例２の箱の展開図である。
【図６】実施例２における箱の開封方法を説明するための斜視図である。
【発明を実施するための形態】
【００２２】
本発明の実施形態に使用する箱は、例えば図１に示すように、一対の側面板４の少なくとも開封面側の縁にそれぞれ連続するように設けられた外フラップ１、２と、各側面板４にそれぞれ連続している一対の端面板３とを有している。外フラップ１、２は一対の端面板３の開封面側の縁に連続するように設けられた内フラップの上側に位置するものである。前記箱は、封かん時に各外フラップ１、２の互いに対向する側の縁部が合わせ目７を形成し、互いに対向する外フラップ１、２の縁部及びその近傍部分と端面板３の前記合わせ目７の近傍部分を、粘着テープ６を用いて固定することにより、封緘される。
【００２３】
封かんに用いられる粘着テープ６は、短手方向に指などで切断可能又は切断容易な粘着テープである。このような粘着テープとして、以下の実施例では、箱の封かんに良く利用されているクラフト粘着テープを用いるが、これに限られるものではなく、例えば、厚さの薄いＯＰＰ粘着テープや特殊なフィルム基材を用いた手で切れるＯＰＰ粘着テープ、縁の周辺部に傷をつけた粘着テープであっても良い。なお、実施例の図においては、外フラップ１、２の合わせ目７を分かりやすく図示するために、不透明なクラフト粘着テープ６を透明化して示している。
破断用部分（破断用の仕組み）には、以下の実施例では、段ボール箱の破断のために良く用いられるジッパー５を破断用の仕組みとして用いるが、これに限られるものではなく、例えば切れ目やスリットが並んだミシン目、ライナーカット、ハーフカットやカットテープなどを単独または、これらの組み合わせで用いても良い。
以下の実施例において、特に断りがない限り「封かん時に少なくとも一方の外フラップの縁部（一対の外フラップの互いに対向する側の縁部）が形成する合わせ目」を単に「合わせ目」と言う場合がある。
【実施例】
【００２４】
（実施例１）
本発明の実施例１の開封を容易化する方法及び容易に開封できる箱について図１〜３を用いて説明する。
本実施例１の箱は、図１に示すように、外フラップ１、２の互いに対向する縁部及びその近傍部分と端面板３の前記合わせ目７の近傍部分がクラフト粘着テープ６により固定されている。開封面側の片方の外フラップ１には、外フラップ１の左右の各端面板３側の縁を互いに直線的に結ぶ帯状のジッパー５が設けられている。また、外フラップ２中には、合わせ目７に略平行に折れ線（折れ目）１０が形成されている。
図２は図１の箱の展開図である。図２に示すように、外フラップ１には、ジッパー５を切除すると前記ジッパー５と外フラップ１の左右のスロット９とで囲まれた部分が他の部分から分離されるように、外フラップ１の左右のスロット９を繋ぐ帯状のジッパー５が、形成されている。また、外フラップ２中には、封函時に外フラップが形成する合わせ目７に略平行な折れ線（折れ目）１０が形成されている。
【００２５】
図３はこの箱の開封方法の説明のための図である。本実施例１では、ジッパー５を切除することにより、ジッパー５が形成されていた外フラップ１が、前記外フラップ１中の前記クラフト粘着テープ６が貼られた部分を含む部分とそれ以外の部分とに、分離される。図３（１）は、ジッパー５を切除した後の前記外フラップ１中の前記クラフト粘着テープ６が貼られた部分を含む部分を、ジッパー５が切除された側の縁部から、合わせ目７を回転軸として、上方に持ち上げ回動し、外フラップ１と端面板３との間の隙間に対向する粘着テープ６を切断した状態を示している。図３（２）は、ジッパー５が形成されていない外フラップ２を、外フラップ２に形成された折れ線（折り目）を回転軸として、外フラップ２の合わせ目７を形成する縁部から上方に持ち上げ回動し、外フラップ２と端面板３との間の隙間に対向する粘着テープ６を切断した状態を示している。さらに外フラップ2を持ち上げると図３（３）のように開封することができる。なお、開封後も２つの外フラップ１、２は、合わせ目７でクラフト粘着テープ６により繋がったままである。
【００２６】
次に実施例１における作用及び効果を図１、図２、図３を用いて説明する。図１に示すジッパー５を切除すると、ジッパー５が形成されていた外フラップ１は、ジッパーが存在した部分を境目として、外フラップ１中のクラフト粘着テープ６で固定された部分（合わせ目７など）を含む部分と、外フラップ１中の側面板４と連続する部分とに分離する。図３（１）に示すように、ジッパー５を切除した後に、外フラップ１中のクラフト粘着テープ６で固定された部分を含む部分を、ジッパー５が切除された側の縁部から、合わせ目７を回転軸として持ち上げ回動させると、合わせ目７を支点とするテコの原理に加え、外フラップ１と端面板３との間の隙間に対向するクラフト粘着テープ６中の持ち上げる側の部分に引き裂くような力が集中的に加わるため、比較的軽い力で、クラフト粘着テープ６中の外フラップ１と端面板３との間の部分が切断する。
さらに、図３（２）に示すように、ジッパー５が形成されていない外フラップ２を、外フラップ２に形成された合わせ目７に略平行な折れ線（折れ目）を回転軸として、外フラップ２の合わせ目７側の縁部から上方に持ち上げ、回動させると、外フラップ２と端面板３との間の隙間に対向するクラフト粘着テープ６中の合わせ目側の部分に集中的な力が加わるため、弱い力でも切断することができ、箱が簡単に開封できる。
【００２７】
以上のように本実施例１による段ボール箱は、外フラップ１中のジッパー５を切除した後、外フラップ１中の前記クラフト粘着テープ６が貼られた部分を含む部分を前述のように持ち上げ、さらに外フラップ２を前述のように持ち上げるだけで、簡単に開封することができる。よって、本実施例１によれば、箱の開封者は、直感的に、迷うことなく開封できる。また、合わせ目７を支点とするテコの原理に加え、外フラップ2を固定しているクラフト粘着テープの一部分に力が集中して働くので、比較的軽い力でクラフト粘着テープを切断し、簡単かつ安定的に開封できる。
【００２８】
次に本発明の実施例１の変形例１について、図４（１）を用いて説明する。
前記実施例１の直線的なジッパー５に対して、実施例１の変形例１では、図４の（１）に示すように、開封面側の外フラップ１ａの左右（合わせ目７ａの延びる方向）の各端面板３ａ側の縁を結ぶ略Ｕ字型のジッパー５ａが、前記外フラップ１ａと前記外フラップ１ａと繋がる側面板４ａとにまたがって形成されている。ジッパー５ａには、ジッパー５ａ中の側面板４ａに近い中間部分に開封開始部１１ａ（開封者が開封操作するときに指などを入れる部分）が設けられている。
【００２９】
本変形例１においては、開封者が、ジッパー５ａの開封開始部１１ａから指を入れて、側面板４ａ中のジッパー５ａと外フラップ１ａとで囲まれた部分を引き起こし、側面板４ａから切り離す。切り離された側面板４ａの部分は外フラップ１ａの一部に繋がっている。
さらに、この繋がっている部分（外フラップ１ａ中のジッパー５ａ、各端面板３ａ側の縁部と合わせ目７ａとで囲まれた部分）を側面板側から持ち上げると、ジッパー５ａ部分の破断と合わせ目７ａを回転軸とする回動動作によって、外フラップ１ａと端面板３ａ間の隙間の部分に対向するクラフト粘着テープ６ａの切断が連続して行われる。
以降は前記実施例１と同様に外フラップ２ａを外フラップ２ａに形成された折れ線（折り目）１０ａを回転軸として、外フラップ２ａの合わせ目７ａを形成する縁部側から上方に持ち上げ回動し、外フラップ２ａと端面板３ａ間の隙間部分に対向するクラフト粘着テープ６ａを切断すると開封される。
【００３０】
このように、本変形例１によれば、開封者が側面板４ａ中と外フラップ１ａ中のジッパー５ａ部分の破断と、外フラップ１ａと端面板３ａ間の隙間の部分に対向するクラフト粘着テープ６ａの切断が連続して行われるので、開封方法がより分かりやすく開封できるようになる。
さらに、本変形例１の効果は次のとおりである。従来技術においては、合わせ目の粘着テープを刃物で切断や粘着テープをはぎ取って開封した場合、外フラップのある開封面のみが開封されるだけなので、内容物が隙間なく詰め込まれているときは、内容物が取り出しにくいという問題があった。これに対して、変形例１では、側面板４ａの一部も同時に取り除かれるので、箱の内容物を側面板４ａ側の開口部から取り出すことが可能になり、内容物を取り出し易くなる。また、側面板４ａの一部と外フラップ１ａ、２ａとを一緒に開封できるので、この箱を、内容物の陳列、展示用の箱として利用することもできるようになる。
【００３１】
次に本発明の変形例２について、図４（２）を用いて説明する。
前記実施例１では外フラップ１にジッパー５を形成した。これに対して、本変形例２では、図４（２）に示すように、外フラップ１ｂの左右のスロット９に繋がるジッパー５ｂを側面板４ｂに形成した箱である。
次に本変形例２の作用と効果について、図４（２）を用いて説明する。
開封方法は、側面板４ｂに形成されたジッパー５ｂの中間にある開封開始部１１ｂから指を入れてジッパー５ｂを引き起こすと外フラップ１ｂの左右のスロット９が繋がり、側面板４ｂ中の外フラップ１ｂと繋がっている部分とその他の部分とが分離される。次に、外フラップ１ｂと繋がった側面板４ｂの部分とこれに繋がる外フラップ１ｂとを、合わせ目７ｂを回転軸として、側面板４ｂの方から持ち上げ回動すると、外フラップ１ｂと端面板３ｂ間の隙間の部分に対向するクラフト粘着テープ６ｂが容易に切断される。以降は前記実施例１と同様に最後に残った外フラップ２ｂを持ち上げると開封される。
【００３２】
本変形例２では、側面板４ｂにジッパー５ｂを形成するので上からの力が加わってもジッパー５ｂが破断しにくいため、通常の箱とほぼ同じ封かん力を持つことができる。
また、箱の内容物の取り出しやすさや、陳列、展示用の箱として利用することも可能になる効果は、変形例１と同じである。
なお、側面板４ｂにジッパー５ｂを形成する場合、前記側面板４ｂと繋がる開封面側の外フラップ１ｂの左右のスロット９（図２参照）にジッパー５ｂが繋がるようにすれば、どのような形のジッパーであっても本変形例２と同様な作用と効果を持つ。
【００３３】
（実施例２）
本発明の実施例２の開封を容易化する方法及び容易に開封できる箱について図５を用いて説明する。
本実施例２の箱は、旧ＪＩＳ形式でＡ−２形と呼ばれるもので、図５に示すように箱の開封面側の一対の外フラップのうち一方の外フラップの合わせ目に垂直な方向の長さが長い外フラップ２ｃを持つ箱で、短い外フラップ１ｃ側に破断用部分（破断用の仕組み）を持ち、長い外フラップ２ｃに折れ線（折れ目）を持つ箱である。
図５の平面図の箱を組み立てると、封かん時に外フラップ２ｃの上に外フラップ１ｃを重ねて、外フラップ１ｃの縁部とそれに対向する外フラップ２ｃ中の部分とにより合わせ目７ｃが形成される。実施例２では、外フラップ１ｃ中の縁部（合わせ目７ｃ）の近傍部分と、外フラップ２ｃ中の外フラップ１ｃの縁部（合わせ目７ｃ）の近傍部分と、端面板３ｃ中の外フラップ１ｃの縁部（合わせ目７ｃ）の近傍部分とが、クラフト粘着テープ６ｃにより互いに固定されている。封函後の外見は図１と同様で、開封面側の外フラップ１ｃには、外フラップ１ｃの左右（合わせ目７ｃが延びる方向）の各端面板３ｃ側の縁を互いに直線的に結ぶ帯状のジッパー５ｃが設けられ、外フラップ２ｃ中の合わせ目７ｃと側面板４ｃの間に、折れ線（折れ目）が合わせ目に略平行に形成されている。
【００３４】
図６はこの箱の開封方法の説明のための図である。本実施例２では、ジッパー５ｃを切除することにより、ジッパー５ｃが形成されていた外フラップ１ｃが、前記外フラップ１ｃ中の前記クラフト粘着テープ６ｃが貼られた部分を含む部分とそれ以外の部分とに、分離される。図６は、ジッパー５ｃを切除した後の前記外フラップ１ｃ中の前記クラフト粘着テープ６ｃが貼られた部分を含む部分を、合わせ目７ｃを回転軸として、上方に持ち上げ回動し、外フラップ１ｃと端面板３ｃ間の隙間に対向するクラフト粘着テープ６ｃを切断した状態と、持ち上げた外フラップ１ｃの下に、外フラップ２ｃの一部があることを示している。
【００３５】
次に実施例２における作用及び効果を図５と図６を用いて説明する。図５に示した展開図の箱のジッパー５ｃを切除し、実施例１と同様に外フラップ１ｃと端面板３ｃ間の隙間に対向するクラフト粘着テープ６ｃを切断する。次いで残った外フラップ２ｃを、外フラップ２ｃ中に形成された折れ線（折れ目）を回転軸として、合わせ目７ｃ側の縁から持ち上げ回動させる過程で、外フラップ２ｃの折れ線（折れ目）を支点とするテコの原理に加え、引き裂く力が粘着テープ６ｃ中の持ち上げる側に集中することにより、軽い力でクラフト粘着テープ６ｃ中に切れ残った外フラップ２ｃと端面板３ｃとの間の部分を切断し、箱を開封することができる。
以上のように本実施例２の段ボール箱の開封は、外フラップ１ｃのみならず、外フラップ２ｃと端面板３ｃ間の隙間に対向する粘着テープについてもテコの原理を利用して力を加えることができるので、実施例１よりも弱い力で、箱を簡単に開封できる。
【符号の説明】
【００３６】
１、１ａ、１ｂ、１ｃ、１ｄ  外フラップ
２、２ａ、２ｂ、２ｃ、２ｄ  外フラップ
３、３ａ、３ｂ、３ｃ、３ｄ  端面板
４、４ａ、４ｂ、４ｃ、４ｄ  側面板
５、５ａ、５ｂ、５ｃ、５ｄ  ジッパー
６、６ａ、６ｂ、６ｃ、６ｄ  クラフト粘着テープ
７、７ａ、７ｂ、７ｃ、７ｄ  外フラップが形成する合わせ目
８、８ｄ                    内フラップ
９                          スロット
１０ａ、１０ｂ、１０ｃ      折れ線（折れ目）
１１ａ、１１ｂ              ジッパーの開封開始部
【図１】
2016188079.tif 000003
【図２】
2016188079.tif 000004
【図３】
2016188079.tif 000005
【図４】
2016188079.tif 000006
【図５】
2016188079.tif 000007
【図６】
2016188079.tif 000008